(57)【要約】      （修正有）【課題】収納庫用の冷凍装置を収納庫に設置するに際し、可燃性冷媒の漏れが発見された場合に、別途に拡散ファンを要することなく、漏れ冷媒を拡散させるものを提供する。【解決手段】庫外機１１の庫外ファンには、本冷凍装置の通常運転に必要な通常電源とは異なる他の電源５０に結線を切換可能なコネクタ４０が配置される。従って、庫外ファンに例えばその駆動用のインバータ装置などが電源配線を介して接続されていても、コネクタ４０で結線を切り換えて、庫外ファンを例えば通常電源とは異なる商用電源５０に接続する。従って、庫外ファンを利用して、庫外機１１の配置された例えば機械室内で漏れた可燃性冷媒をその機械室の全体に拡散させることができる。【選択図】図５
2017067385.tif 000002
【特許請求の範囲】
【請求項１】
収納庫（1）に配置され庫内ファン（26）を有する庫内機（12）と、上記収納庫（1）の庫外に配置され庫外ファン（25）を有する庫外機（11）とを有し、圧縮機（21）からの可燃性冷媒を上記庫内機（12）と庫外機（11）との間で循環させる冷凍装置であって、
上記庫内ファン（26）及び庫外ファン（25）の少なくとも一方には、本冷凍装置の通常運転に必要な通常電源（30）とは異なる他の電源（50）に結線を切換可能な接続器（40）が備えられる
ことを特徴とする収納庫用の冷凍装置。
【請求項２】
上記請求項１記載の収納庫用の冷凍装置において、
上記接続器（40）は、本冷凍装置の上記収納庫（1）への設置時に上記可燃性冷媒の漏れが発見されたとき、上記通常電源（30）とは異なる他の電源（50）に接続されて、
上記接続器（40）を備える庫内ファン（26）及び庫外ファン（25）の少なくとも一方が上記接続器（40）を介して上記他の電源（50）に接続されて、回転駆動可能となる
ことを特徴とする収納庫用の冷凍装置。
【発明の詳細な説明】
【技術分野】
【０００１】
本発明は、冷蔵庫や冷凍庫などの収納庫を冷蔵又は冷凍する収納庫用の冷凍装置に関し、特に、可燃性冷媒を使用する冷凍装置において、収納庫への設置時にその可燃性冷媒の漏れが発見された場合の対策に関する。
【背景技術】
【０００２】
従来、この種の冷凍装置では、所定の収納庫に庫内機を配置し、その収納庫の庫外に庫外機を配置し、その庫内機と庫外機とを冷媒配管で接続して、それ等機器の間でＲ３２などの可燃性冷媒を圧縮機により循環させて、その収納庫内の空気から吸熱し、その熱量を庫外に排出して、収納庫を冷蔵又は冷凍している。
【０００３】
そして、そのような冷凍装置を所定の収納庫に設置するに際しては、その冷凍装置の庫内機を収納庫に配置し、その庫外機を収納庫横の機械室に配置した後、これ等の庫内機及び庫外機を運転可能とするように配管接続や電気配線の結線等を行うが、その電気配線の結線の前段階において、例えば庫外機を機械室に搬入する時に機械室の出入り口の柱などにぶつけてしまった場合など、庫外機に予め充填した可燃性冷媒の一部が庫外機の底部から外部に漏れていることが発見されたときなどでは、その漏れ箇所の修理に先だって、応急的に、その機械室内での漏れ冷媒の濃度が爆発下限界濃度以上にならないように、その漏れ冷媒を機械室内の底部に溜めずに、機械室の全体に拡散させることが望ましい。そして、そのためには、例えばその冷媒漏れに対応できるように大型の拡散ファンを予め別途に持参しておき、それに電気結線して、機械室内で回転駆動することが必要となる。
【０００４】
尚、冷凍装置の設置後、例えばその運転時に可燃性冷媒の漏れを自動検知する構成として、従来、特許文献１には、床置きタイプの室内機を有する空気調和機において、Ｒ３２などの可燃性冷媒（ガス）の比重が空気よりも重い点を利用して、その室内機の下部の箇所に可燃性ガスを検知するセンサを配置して、可燃性ガスの漏洩を自動検知する構成が開示されている。
【先行技術文献】
【特許文献】
【０００５】
【特許文献１】特許４６３９４５１号公報
【発明の概要】
【発明が解決しようとする課題】
【０００６】
しかしながら、拡散ファンを予め別途に持参しておく構成では、大型の拡散ファンが別途に必要である。また、冷凍装置を設置場所にまで搬送する搬送車にその拡散ファンを積み込んでおく必要が生じ、そのため、可燃性冷媒の漏れが発見された際には搬送車の荷台から拡散ファンを降ろして設置場所に配置し、その後その拡散ファンに電気接続して回転駆動するなど、漏れ冷媒の拡散動作までの準備に長時間を要する。また、搬送車の荷台に拡散ファンを積み込む分、搬送車の搬送スペースが縮小されて、搬送車に積み込むべき工具や備品が制限されるなどの不具合が生じる。
【０００７】
本発明は係る点に鑑み、その目的は、収納庫用の冷凍装置において、別途に持参する拡散ファンに代えて、庫内機や庫外機に予め設けられている庫内ファンや庫外ファンを利用して、漏れた可燃性冷媒を収納庫や機械室内で拡散することにある。
【課題を解決するための手段】
【０００８】
すなわち、第１の発明の収納庫用の冷凍装置は、収納庫（1）に配置され庫内ファン（26）を有する庫内機（12）と、上記収納庫（1）の庫外に配置され庫外ファン（25）を有する庫外機（11）とを有し、圧縮機（21）からの可燃性冷媒を上記庫内機（12）と庫外機（11）との間で循環させる冷凍装置であって、上記庫内ファン（26）及び庫外ファン（25）の少なくとも一方には、本冷凍装置の通常運転に必要な通常電源（30）とは異なる他の電源（50）に結線を切換可能な接続器（40）が備えられることを特徴とする。
【０００９】
上記第１の発明では、庫内ファン、庫外ファン又はその双方に接続器が備えられて、これ等の庫内又は庫外ファンはその接続器を介して、例えば本冷凍装置用の２００Ｖ等の通常電源とは異なる例えば１００Ｖの他の電源に接続可能である。従って、通常では接続器から例えばファン回転数制御用のインバータ装置を介して通常電源に接続されている場合であっても、接続器での結線を変更することにより、別途に設けていた拡散ファンに代えて、庫内ファンや庫外ファンを簡易に他の電源に接続して回転駆動することが可能である。
【００１０】
第２の発明は、上記収納庫用の冷凍装置において、上記接続器（40）は、本冷凍装置の上記収納庫（1）への設置時に上記可燃性冷媒の漏れが発見されたとき、上記通常電源（30）とは異なる他の電源（50）に接続されて、上記接続器（40）を備える庫内ファン（26）及び庫外ファン（25）の少なくとも一方が上記接続器（40）を介して上記他の電源（50）に接続されて、回転駆動可能となることを特徴とする。
【００１１】
上記第２の発明では、庫内機や庫外機の設置に際し、可燃冷媒の漏れが発見されたときには、庫内ファン又は庫外ファンの接続器に繋がる既設配線を外し、その後、その接続器に対して、通常電源とは異なる１００Ｖ等の他の電源に結線を変更することが行われる。従って、庫内ファン若しくは庫外ファン又はその双方を上記他の電源で回転駆動できるので、別途に拡散ファンを必要とすることなく、それら収納庫や機械室に漏れた可燃性冷媒の濃度をその爆発下限界濃度未満に制限するように、その漏れ冷媒を収納庫や機械室の全体に拡散させることが可能である。
【発明の効果】
【００１２】
上記第１の発明の収納庫用の冷凍装置によれば、別途に持参していた拡散ファンに代えて、庫内ファンや庫外ファンを簡易に回転駆動できて、収納庫や機械室での可燃性冷媒の漏れに良好に対応できる。
【００１３】
また、第２の発明によれば、庫内機や庫外機の設置時に、可燃冷媒の漏れが発見されたときには、拡散ファンに代えて庫内ファンや庫外ファンを回転駆動できるので、別途に拡散ファンを要することなく、収納庫や機械室に漏れた可燃性冷媒をその収納庫や機械室の全体に拡散させることが可能である。
【図面の簡単な説明】
【００１４】
【図１】図１は本発明の実施形態に係る収納庫用の冷凍装置の冷媒回路の構成を示す配管系統図である。
【図２】図２は同収納庫用の冷凍装置を収納庫に設置した場合の概略構成を示す側面断面図である。
【図３】図３は庫外機と通常電源との通常時の接続の様子を示す図である。
【図４】図４は庫外機の内部概略構成を示す図である。
【図５】図５は冷媒漏れ時の庫外機の庫外ファンと他の電源との接続の様子を示す図である。
【発明を実施するための形態】
【００１５】
以下、本発明の実施形態を図面に基づいて詳細に説明する。尚、以下の実施形態は、本質的に好ましい例示であって、本発明、その適用物、又はその用途の範囲を制限することを意図するものではない。
【００１６】
《本発明の実施形態》
図１及び図２に示すように、収納庫用の冷凍装置（10）は、食品等の貯蔵物を冷凍して収納する又は冷蔵するための収納庫（1）に設けられ、該収納庫（1）の庫内空気を冷却するものである。収納庫（1）は、陸上に設けられ、庫内空気と外気との熱交換を避けるべく、壁、床、天井が全て断熱構造に構成されている。また、本実施形態では、収納庫（1）は、外気の侵入を抑制するべく、搬出搬入口（2）以外の開口が形成されていない。また、壁と床、壁と天井の隙間からの外気の侵入を抑制した気密性の高い構造に構成されている。
【００１７】
冷凍装置（10）は、庫外機（11）と、庫内機（12）と、排気装置（13）と、冷媒センサ（14）と、コントローラ（15）とを備えている。
【００１８】
〈庫外機／庫内機〉
庫外機（11）は、収納庫（1）の庫外である収納庫（1）横の機械室（3）に搬出搬入口（4）から機械室（3）に搬入されて設置される。一方、庫内機（12）は、搬出搬入口（2）から搬入されて収納庫（1）の庫内に設置されている。庫外機（11）と庫内機（12）とには、冷媒が循環して蒸気圧縮式の冷凍サイクルを行う冷媒回路（20）が、庫外機（11）と庫内機（12）とに跨がって設けられている。
【００１９】
《冷媒回路》
図１に示すように、冷媒回路（20）は、圧縮機（21）と、凝縮器（22）と、膨張弁（23）と、蒸発器（24）とを、冷媒配管によって順に接続することによって構成された閉回路である。本実施形態では、冷媒回路（20）には、空気よりも比重の大きい可燃性のＲ３２（ＨＦＣ３２）冷媒が充填されている。圧縮機（21）と、凝縮器（22）と、膨張弁（23）とは、庫外機（11）の庫外ケーシング（11a）内に収容され、蒸発器（24）は、庫内機（12）の庫内ケーシング（12a）内に収容されている。庫外機（11）と庫内機（12）との間に配設される液側連絡配管（27）とガス側連絡配管（29）とは、それぞれ収納庫（1）の庫内と庫外とに跨がって設けられている。
【００２０】
庫外ケーシング（11a）内において、凝縮器（22）の近傍には、庫外空気（外気）を庫外ケーシング（11a）内の凝縮器（22）へ送る庫外ファン（25）が設けられている。凝縮器（22）では、圧縮機（21）で加圧されて凝縮器（22）の内部を流れる冷媒と庫外ファン（25）によって凝縮器（22）に送られた外気との間で熱交換が行われる。本実施形態では、庫外ファン（25）は、プロペラファンによって構成されている。
【００２１】
庫内ケーシング（12a）内において、蒸発器（24）の近傍には、庫内空気を庫内ケーシング（12a）内の蒸発器（24）へ送る庫内ファン（26）が設けられている。蒸発器（24）では、膨張弁（23）によって減圧されて蒸発器（24）の内部を流れる冷媒と庫内ファン（26）によって蒸発器（24）に送られた庫内空気との間で熱交換が行われる。庫内ファン（26）は、蒸発器（24）において冷媒によって冷却された庫内空気を吸い込み、庫内において循環するように庫内に吹き出すように設けられている。
【００２２】
《排水構造》
また、庫内ケーシング（12a）の底部には、蒸発器（24）で発生する結露水を受けるドレンパン（31）が設けられている。このドレンパン（31）は、図２の左右方向の両端から中央に向かって高さが低くなると共に、図２の紙面貫通方向の奥側から手前側に向かって高さが低くなる傾斜面を有している。ドレンパン（31）の中央には、該ドレンパン（31）から結露水を排出する排出部（32）が形成され、該排出部（32）には、ドレンホース（33）が接続されている。ドレンホース（33）は、庫内から収納庫（1）の側壁を貫通して庫外へ至るように配設されている。ドレンホース（33）の庫外に配設された部分には、外気の庫内への侵入を防止する逆止弁（34）が設けられている。
【００２３】
〈排気装置〉
排気装置（13）は、貯留容器（41）と、排気ホース（42）と、排気弁（43）と、導風機構（44）とを備えている。
【００２４】
《貯留容器》
貯留容器（41）は、上部が開口した容器であり、庫内機（12）の冷媒回路（20）から漏れた空気よりも比重の大きい冷媒を貯留するために、庫内の下部に設けられている。本実施形態では、貯留容器（41）は、庫内機（12）の下方に設けられている。庫内機（12）の下方に設ける理由は、冷媒回路（20）から庫内に漏れる冷媒の多くが蒸発器（24）の周辺、即ち、庫内機（12）周辺で漏れるため、庫内機（12）周辺で漏れて下方に落下する冷媒を受け止めるためである。貯留容器（41）には、底面の中央部に筒状の排出部（45）が形成されている。また、貯留容器（41）の底面は、外縁から排出部（45）に向かって高さが低くなるすり鉢状の傾斜面に構成されている。
【００２５】
《排気ホース》
排気ホース（42）は、排出部（45）に接続されている。排気ホース（42）は、庫内から収納庫（1）の側壁を貫通して庫外へ至るように配設されている。
【００２６】
排気弁（43）は、排気ホース（42）の庫内に配設された部分に接続されている。排気弁（43）は、開閉式の電磁弁によって構成され、庫内と庫外とを連通させる開状態と、庫内と庫外とを連通させない閉状態とに切り換わる。
【００２７】
《導風機構》
導風機構（44）は、本実施形態では、Ｖ字形状の導風板（46）と、ヒンジ（47）とによって構成されている。導風板（46）は、Ｖ字形状の折板部材によって構成され、該導風板（46）の角部にヒンジ（47）が設けられている。導風機構（44）は、庫内ファン（26）の吹出側で且つ下方において、ヒンジ（47）が庫内ファン（26）の吹出方向に対して略直交する方向に延びるように設けられている。
【００２８】
また、導風機構（44）は、導風板（46）がヒンジ（47）周りに回動し、第１状態（図２の実線を参照）と第２状態（図２の二点鎖線を参照）とに切り換わるように構成されている。第１状態は、導風板（46）によって庫内ファン（26）の吹出空気が庫内循環方向に導かれるように、Ｖ字状の導風板（46）が上方に向かって開く位置にある状態である。このとき、導風板（46）のヒンジ（47）に対して庫内機（12）側の第１部分（46a）は、庫内機（12）に向かって延び、反対側の第２部分（46b）は、庫内循環方向（水平方向）に延びている。一方、第２状態は、導風板（46）によって庫内ファン（26）の吹出空気が貯留容器（41）へ導かれるように、Ｖ字状の導風板（46）が庫内機（12）に向かって開く位置にある状態である。このとき、導風板（46）の第１部分（46a）は、貯留容器（41）に向かって延び、反対側の第２部分（46b）は、庫内ファン（26）の吹出空気の一部の庫内循環方向への流通を阻止する方向（鉛直方向）に延びている。
【００２９】
〈冷媒センサ〉
収納庫（1）の庫内には、庫内機（12）の冷媒回路（20）から漏れた冷媒を検知するための冷媒センサ（14）が設けられている。本実施形態では、冷媒センサ（14）は、貯留容器（41）内に設けられている。本実施形態では、冷媒センサ（14）は、金属酸化物半導体式のガスセンサによって構成されている。冷媒センサ（14）では、金属酸化物半導体の表面に吸着した酸素イオンが、冷媒ガスと反応して表面から離脱することによってセンサ内部の自由電子が増加して抵抗値が低下するその変化を測定することでガス濃度が求められる。冷媒センサ（14）によって測定されたガス濃度は、コントローラ（15）に送信される。
【００３０】
〈コントローラ〉
コントローラ（15）は、庫外ケーシング（11a）内に設けられている。コントローラ（15）は、圧縮機（21）、膨張弁（23）、庫外ファン（25）、庫内ファン（26）の運転を制御して、庫内空気を所定の設定温度に冷却する冷却運転を実行するように構成されている。また、冷媒センサ（14）から送信されるガス濃度から冷媒回路（20）から庫内への冷媒漏れを検知すると、導風機構（44）の導風板（46）を第２状態に制御すると共に、排気弁（33）を開状態に制御して、漏れた冷媒を庫外へ排出するための排気運転を実行する。
【００３１】
本実施形態では、コントローラ（15）は、冷凍装置（10）の各要素を制御するマイクロコンピュータと、実施可能な制御プログラムが記憶されたメモリやハードディスク等とを含んでいる。尚、上記コントローラ（15）は、冷凍装置（10）の制御部の一例であり、コントローラ（15）の詳細な構造やアルゴリズムは、本発明に係る機能を実行するどのようなハードウェアとソフトウェアとの組み合わせであってもよい。
【００３２】
＜庫外機の電源配線系統＞
図３は、本冷凍装置（10）の庫外機（11）に対する電源配線系統の概略を示す。同図において、本冷凍装置（10）の通常電源は２００Ｖの単相電源（30）である。上記２００Ｖの通常電源（30）は、電源配線（31）により庫外機（11）の電源端子板（11b）に接続される。
【００３３】
上記庫外機（11）では、予め、上記電源端子板（11b）に電源配線（35）が接続されており、この電源配線（35）は、後述するように内部の圧縮機（21）に接続されると共に、更に電源配線（37）、（38）を通じて庫外ファン（25）に接続される。
【００３４】
図４は、通常電源（30）から上記庫外機（11）への電源供給に関する庫外機（11）の内部概略構成を示す。同図において、（CM）は圧縮機（21）が有する圧縮機用モータ（CM）、（FM）は庫外ファン（25）が有する庫外ファン用モータである。また、（11a）は庫外機（11）のケーシング、（28）は上記ケーシング（11a）内に配置された電装品ボックスである。この電装品ボックス（28）内には、上記圧縮機用モータ（CM）及び庫外ファン用モータ（FM）を駆動／停止制御すると共にそれ等モータの回転数を制御するインバータ装置（INVC）、（INVF）が配置される。これ等のインバータ装置（INVC）、（INVF）の内部には、主に、図示しないが、上記通常電源（30）の単相交流を整流する整流器と、この整流器に並列に配置された平滑コンデンサと、その平滑された直流電圧を三相交流に変換しその三相交流の電圧値を制御するインバータ回路とを備える。
【００３５】
上記インバータ装置（INVC）には、電装品ボックス（28）に配置した電源端子板（28a）に接続された単相電源配線（35a）及びこの電源端子板（28a）と上記庫外機（11）の電源端子板（11b）に接続した単相電源配線（35b）を介して上記通常電源（30）への電源配線（31）に接続される。また、上記インバータ装置（INVC）には、電源端子（28b）に接続された三相電源配線（36）を通じて上記圧縮機用の三相モータ（CM）が接続されており、この電源配線（36）を通じて上記インバータ装置（INVC）で変換された三相交流を圧縮機（21）用の三相モータ（CM）に供給して、その駆動／停止制御と回転数制御を行う。
【００３６】
同様に、上記インバータ装置（INVF）には、単相電源配線（37a）を介して電装品ボックス（28）の電源端子板（28a）に接続されると共に、三相電源配線（37b,38）を通じて上記庫外ファン用モータ（FM）が接続されており、この電源源配線（37b,38）を通じて上記インバータ装置（INVF）で変換された三相交流を庫外ファン用モータ（FM）に供給して、その駆動／停止制御と回転数制御を行う。
【００３７】
そして、本実施形態の特徴的な構成として、上記インバータ装置（INVF）から庫外ファン用モータ（FM）への三相電源配線（37b,38）には、図３及び図４に示すように、途中にコネクタ（接続器）（40）が配置される。このコネクタ（40）は、上記電装品ボックス（28）の壁面の所定位置に固定されている。
【００３８】
上記コネクタ（40）は、庫外ファン用モータ（FM）側の電源配線（38）に接続されたオス部（40a）と、インバータ装置（INVF）側の電源配線（37b）に接続されたメス部（40b）とを有し、上記メス部（40b）が電装品ボックス（28）の壁面に固定される。従って、コネクタ（40）の上記庫外ファン用モータ（FM）側のオス部（40a）をメス部（40b）から抜き取り、このオス部（40a）を他の電源配線が接続されたメス部（40b’）（後述）に挿入するだけで、庫外ファン用モータ（FM）への電源供給系統を簡易に変更することが可能である。
【００３９】
＜可燃性冷媒の漏れの有無調査と漏れ発見時の対策＞
次に、本冷凍装置（10）の設置に際して、庫外機（11）を収納庫（1）横の機械室（3）に設置する場合に可燃性冷媒の漏れの有無の調査と、その冷媒漏れが発見されたときの対策とについて説明する。
【００４０】
先ず、庫外機（11）を機械室（3）に搬入し、配置する。このとき、例えば、機械室（3）の出入り口や壁の角部に庫外機（11）をぶつけてしまった場合等では、庫外機（11）に封入されていた可燃性冷媒の一部が底部から漏れることになる。
【００４１】
庫外機（11）の搬入後、その所定位置への配置に際しては、冷凍装置（10）の設置時の点検項目として、冷媒漏れの有無のチェックがある。配置した庫外機（11）の電源配線（31）の接続などの電気工事前には、庫外機（11）の底部に圧縮機（21）を潤滑する冷凍機油の漏れがあるかどうかが調査され、この油漏れがある場合などには、可燃性冷媒の漏れが存在すると判断される。
【００４２】
このようにして可燃性冷媒の漏れが発見された場合には、庫外機（11）のコネクタ（40）のオス部（40a）とメス部（40b）との結合が外されて、庫外ファン用モータ（FM）とその駆動用のインバータ装置（INVF）との接続が外される。
【００４３】
その後、図５に示すように、１００Ｖ商用電源（50）に接続されるコンセントプラグ（51）、１００Ｖ−２００Ｖ昇圧用の昇圧トランス（52）、商用電源（50）の電源電圧波形を９０°進相させる進相用コンデンサ（53）が単相用の電源配線（54）で接続されると共に、上記進相用コンデンサ（53）と上記コネクタ（40）の他のメス部（40b’）が三相用の電源配線（55）で接続される。そして、コンセントプラグ（51）が１００Ｖ商用電源（50）に接続されると共に、上記他のメス部（40b’）にコネクタ（40）のオス部（40a）が結合される。
【００４４】
尚、上記コンセントプラグ（51）、昇圧トランス（52）、進相用コンデンサ（53）及びコネクタ（40）の他のメス部（40b’）は本冷凍装置（10）に同梱される。
【００４５】
従って、庫外ファン用モータ（FM）には二相交流が電源配線（55,38）を経て供給される。これにより、この庫外ファン用モータ（FM）は例えば、そのｕ相とｗ相とが主巻線、ｖ相とｗ相とが補助巻線となって、コンデンサラン型単相モータとして回転駆動される。この庫外ファン用モータ（FM）の回転駆動により庫外ファン（25）が回転して、機械室（3）の下部に漏れた可燃性冷媒は機械室（3）の全体に拡散されて、その漏れた可燃性冷媒の濃度はその爆発下限界濃度未満になるように低下する。
【００４６】
よって、本実施形態では、庫外ファン用モータ（FM）が電源配線（38,37b）を介してその駆動用のインバータ装置（INVF）に接続されていても、コネクタ（40）で結線を切り換えて、庫外ファン（25）を商用電源（50）で回転駆動して、漏れた可燃性冷媒を機械室（3）の全体に拡散させることができるので、別途に大型の拡散ファンを要することなく、漏れた可燃性冷媒の濃度を有効に下げることが可能である。
【００４７】
また、既に機械室（3）に配置した庫外機（11）の庫外ファン（25）に対して図５に示す電源接続を行うだけで庫外ファン（25）の回転駆動が可能となるので、漏れ冷媒の拡散動作を行うまでの準備を短時間で終了できる。
【００４８】
更に、別途に拡散ファンが不要であるので、本冷凍装置（10）を例えばその製造工場から収納庫（1）及び機械室（3）の現場にまで搬送するトラック等の搬送車の荷台には、上記別途の大型拡散ファンを積み込んでいたスペースに、多くの必要な工具や備品を積み込むことが可能である。
【００４９】
尚、上記漏れ冷媒の濃度が爆発下限界濃度未満に低下した状態になると、庫外機（11）に封入した可燃性冷媒を全て排出した後、その漏れ箇所を修理する。
【００５０】
一方、可燃性冷媒の漏れが発見されない場合には、図３に示したように、電源配線（31）により２００Ｖの通常電源（30）を庫外機（11）の電源端子板（11b）に接続することにより、その通常電源（30）から圧縮機用モータ（CM）及び庫外ファン用モータ（FM）への電源供給を行って、庫外機（11）の通常運転を行う。
【００５１】
＜その他の実施形態＞
本発明は、上記実施形態について、以下のような構成としてもよい。
【００５２】
上記実施形態では、コネクタ（40）は、庫外ファン用モータ（FM）とその駆動用インバータ装置（INVF）との間の電源配線（38,37b）に配置したが、本発明はこの構成に限定されず、その他の種々の電源配線系統にも採用可能であり、要は、庫外ファン用モータ（FM）の通常駆動用の電源配線系統にコネクタを配置し、そのオス部及びメス部の何れか一方を他の電源配線が接続された他方（メス部又はオス部）に変更して、通常電源とは異なる例えば１００Ｖの商用電源などの他の電源に電源配線の結線を変更できる構成とすれば良い。従って、上記実施形態では、昇圧トランス（52）や進相用コンデンサ（53）を用意したが、他の備品を用意して、庫外ファン用モータ（FM）を駆動する構成を採用してもよいし、コネクタ（40）の配置位置も上記実施形態の配置位置に限定されない。更に、庫外ファン用モータ（FM）の種類やコネクタ（40）の種類、他の電源（50）の種類も種々変更可能であるのは勿論である。
【００５３】
また、上記実施形態では、機械室（3）への庫外機（11）の設置時に可燃性冷媒の漏れが発見された場合に、庫外ファン（25）を回転駆動して漏れ冷媒を機械室（3）の全体に拡散させたが、本発明は、その他、庫内機（12）に圧縮機（21）を備える構成の場合に、その庫内機（12）を収納庫（1）に設置する際に可燃性冷媒の漏れが発見されたときにも、同様に適用可能である。この場合には、庫内ファン（26）を駆動する庫内ファン用モータへの電源配線系統にコネクタを配置しておき、そのオス部を外し、そのメス部に例えば図５に示したと同様の接続を行って、庫内ファン（26）を例えば１００Ｖの商用電源（50）で回転駆動して、漏れ冷媒を収納庫（1）の全体に拡散する。
【００５４】
更に、上記実施形態では、冷凍装置（10）を陸上の収納庫（1）に設置する場合を例示したが、本発明は、陸上倉庫の他、海上コンテナ（海上の収納庫）であっても陸上にある状態でその海上コンテナ内に本冷凍装置の庫内機を設置する場合にも同様に適用できる。
【００５５】
加えて、上記実施形態で説明した冷凍装置（10）の庫外機（11）及び庫内機（12）の構成は他の構成を採用しても良いのは勿論である。
【産業上の利用可能性】
【００５６】
以上説明したように、本発明は、冷凍装置の収納庫への設置時に、可燃性冷媒の漏れが発見された場合には、既設の庫内ファンや庫外ファンを利用して、その漏れ冷媒を収納庫又はそれに隣接する機械室の全体に拡散させたので、別途に大型の拡散ファンを不要にでき、倉庫内を冷凍する冷凍装置に適用して、有用である。
【符号の説明】
【００５７】
１                  収納庫
３                  機械室
１０                収納庫用の冷凍装置
１１                庫外機
１２                庫内機
２１                圧縮機
ＣＭ                圧縮機用モータ
２５                庫外ファン
ＦＭ                庫外ファン用モータ
３０                通常電源
４０                コネクタ（接続器）
４０ａ              オス部
４０ｂ              メス部
４０ｂ‘            他のメス部
５０                商用電源
５１                コンセントプラグ
５２                昇圧トランス
５３                進相用コンデンサ
【図１】
2017067385.tif 000003
【図２】
2017067385.tif 000004
【図３】
2017067385.tif 000005
【図４】
2017067385.tif 000006
【図５】
2017067385.tif 000007